(57)【要約】    【課題】入力端子に入力される映像信号の種類を自動判別できない場合でもその映像信号に対して適切な信号処理方式を選択することができる映像表示装置を提供する。    【解決手段】入力端子に映像信号が入力されたことが検出されたときにその入力端子に入力された映像信号に対して第１の信号処理方式と、第１の信号処理方式とは異なる第２の信号処理方式とのうちの少なくとも一方の方式の信号処理を施して映像信号を出力する信号処理手段と、信号処理部の出力映像信号に応じた映像を表示する表示手段と、入力端子に映像信号が入力されたことが検出されたときに信号処理方式選択を告知する告知手段と、操作入力に応じて信号処理手段が第１の信号処理方式及び第２の信号処理方式のいずれか一方の方式にて動作するように指定する制御手段と、を備えた。【選択図】図４
2007248970.tif 000002
【特許請求の範囲】
【請求項１】
入力端子に映像信号が入力されたことを検出する信号検出手段と、
前記信号検出手段によって前記入力端子に映像信号が入力されたことが検出されたときに、前記入力端子に入力された映像信号に対して第１の信号処理方式と、前記第１の信号処理方式とは異なる第２の信号処理方式とのうちの少なくとも一方の方式の信号処理を施して信号処理した映像信号を出力する信号処理手段と、
前記信号処理部の出力映像信号に応じた映像を表示する表示手段と、
前記信号検出手段によって前記入力端子に映像信号が入力されたことが検出されたときに、信号処理方式選択を告知する告知手段と、
操作入力に応じて前記信号処理手段が前記第１の信号処理方式及び前記第２の信号処理方式のいずれか一方の方式にて動作するように指定する制御手段と、を備えたことを特徴とする映像表示装置。
【請求項２】
前記入力端子に入力された映像信号の種類を自動判別する自動判別手段を有し、
前記制御手段は、前記自動判別手段によって自動判別された映像信号の種類に対応して前記信号処理手段が前記第１の信号処理方式及び前記第２の信号処理方式のいずれか一方の方式にて動作するように指定し、
前記告知手段は、前記自動判別手段による前記入力端子に入力された映像信号の種類の自動判別ができなかったときに前記信号処理方式選択を告知することを特徴とする請求項１記載の映像表示装置。
【請求項３】
前記信号処理手段は、前記信号検出手段によって前記入力端子に映像信号が入力されたことが検出されたときに、前記入力端子に入力された映像信号に対して前記第１の信号処理方式にて得られる第１映像信号と、その映像信号に対して前記第２の信号処理方式にて得られる第２映像信号とを合成した映像信号を出力することを特徴とする請求項１記載の映像表示装置。
【請求項４】
前記表示手段は、前記告知手段を含み、
前記信号処理手段は、前記信号処理方式選択を示す文字情報を出力すべき映像信号に重畳して出力することを特徴とする請求項１記載の映像表示装置。
【請求項５】
前記信号処理手段は、前記入力端子に入力された映像信号に対して前記第１の信号処理方式にて信号処理を施こす第１信号処理系と、前記入力端子に入力された映像信号に対して前記第２の信号処理方式にて信号処理を施こす第２信号処理系と、前記制御手段による制御に応じて前記第１信号処理系の出力映像信号と前記第２信号処理系の出力映像信号との合成する合成部と、を備えたことを特徴とする請求項１記載の映像表示装置。
【請求項６】
前記入力端子はＲＧＢ映像信号とコンポーネント映像信号との兼用人力端子であり、前記第１の信号処理方式は前記ＲＧＢ映像信号に対応した信号処理方式であり、前記第２の信号処理方式は前記コンポーネント映像信号に対応した信号処理方式であることを特徴とする請求項１記載の映像表示装置。
【発明の詳細な説明】
【技術分野】
【０００１】
本発明は、映像信号に応じた映像を表示器に表示する映像表示装置に関する。
【背景技術】
【０００２】
入力映像信号として、ＲＧＢ（赤緑青）映像信号（以下、単にＲＧＢ信号と称す）とコンポーネント映像信号（以下、単にコンポーネント信号と称す）とを同一の入力端子にて受け入れる映像表示装置がある。ＲＧＢ信号は図１に示すように、ペデスタルレベルに対してプラスのレベルを有する信号である。コンポーネント信号はＹ（輝度）信号、Ｂ−Ｙ（青色差）信号及びＲ−Ｙ（赤色差）信号からなり、Ｂ−Ｙ信号及びＲ−Ｙ信号は図２に示すように、ペデスタルレベルに対してプラス及びマイナスのレベルを有する。このようにＲＧＢ信号とコンポーネント信号とには違いがあるので、同一の入力端子に入力される映像信号の種類に応じて映像表示装置においては適切に処理方式にする必要がある。
【０００３】
従来の映像表示装置には、入力映像信号がＲＧＢ信号とコンポーネント信号とのうちのいずれであるかを自動判別し、その判別結果に応じて信号処理方式を設定する装置がある。特許文献１に示された装置においては、入力映像信号のレベルをペデスタルレベルと比較して、ＲＧＢ信号であるかコンポーネント信号であるかを自動判別することが行われる。この判別においては、コンポーネント信号のＲ−Ｙ、Ｂ−Ｙ信号が上記のようにペデスタルレベルに対してプラスマイナスのレベルを有することを利用しており、ペデスタルレベルよりマイナスの信号を有する場合にはコンポーネント信号であると判断されている。特許文献２に示された装置においては、入力映像信号の同期周波数を検出して、入力される信号がＲＧＢ信号とコンポーネント信号とのいずれであるかを自動判別することが行われている。
【特許文献１】特開２００２−３２０２４３号公報
【特許文献２】特開２００２−２１０５４号公報
【発明の開示】
【発明が解決しようとする課題】
【０００４】
しかしながら、特許文献１に示された装置の自動判別方法においては、映像信号によっては、コンポーネント信号であってもペデスタルレベルより低いレベルとならないことがあるので、入力映像信号を正確に自動判別することができない場合がある。また、ペデスタルレベルより低いレベルがない場合にはＲＧＢ信号として判定されるために、図３に示すようにノイズが混入してペデスタルレベルより低いレベルが検出されると、誤ってコンポーネント信号と判定してしまうことも生じる。
【０００５】
特許文献２に示された装置の自動判別方法においては、同一の同期周波数を有するＲＧＢ信号とコンポーネント信号とが存在するため全てのＲＧＢ信号とコンポーネント信号とを間違いなく自動判別することは難しい。
【０００６】
このように、従来の映像表示装置においては、入力される映像信号がＲＧＢ信号であるかコンポーネント信号であるかを自動判別することは難しいので、入力映像信号に対応した適切な信号処理方式が選択されず、その結果、映像が正常に表示されないことが起きてしまい、ユーザによっては、装置の故障と判断してしまう場合もあった。
【０００７】
本発明が解決しようとする課題には、上記の欠点が一例として挙げられ、入力端子に入力される映像信号の種類を自動判別できない場合でもその映像信号に対して適切な信号処理方式を選択することができる映像表示装置を提供することが本発明の目的である。
【課題を解決するための手段】
【０００８】
請求項１に係る発明の映像表示装置は、入力端子に映像信号が入力されたことを検出する信号検出手段と、前記信号検出手段によって前記入力端子に映像信号が入力されたことが検出されたときに、前記入力端子に入力された映像信号に対して第１の信号処理方式と、前記第１の信号処理方式とは異なる第２の信号処理方式とのうちの少なくとも一方の方式の信号処理を施して信号処理した映像信号を出力する信号処理手段と、前記信号処理部の出力映像信号に応じた映像を表示する表示手段と、前記信号検出手段によって前記入力端子に映像信号が入力されたことが検出されたときに、信号処理方式選択を告知する告知手段と、操作入力に応じて前記信号処理手段が前記第１の信号処理方式及び前記第２の信号処理方式のいずれか一方の方式にて動作するように指定する制御手段と、を備えたことを特徴としている。
【０００９】
かかる請求項１に係る発明によれば、入力端子に入力された映像信号に対して第１の信号処理方式の信号処理を施して得られた映像信号と、入力端子に入力された映像信号に対して第２の信号処理方式の信号処理を施して得られた映像信号とに基づいた映像が表示部に実際に表示され、ユーザはその映像を視認していずれか一方の信号処理方式を操作入力によって選択することができる。よって、入力端子に入力される映像信号が第１及び第２の信号処理方式のうちのいずれか一方の信号処理方式に対応した映像信号であれば適切な信号処理方式を選択することができる。
【発明を実施するための最良の形態】
【００１０】
以下、本発明の実施例を図面を参照しつつ詳細に説明する。
【００１１】
図４は本発明による映像表示装置を示している。この映像表示装置は、映像入力端子１１ａ〜１１ｅ、同期検出部１２、入力信号検出部１３、クランプ回路１４、Ａ／Ｄ変換回路１５、信号処理部１６、信号合成部１７、キャラクタ生成部１８、表示部１９、制御回路２０、操作部２１を備えている。
【００１２】
映像入力端子１１ａ〜１１ｅはＲＧＢ信号又はコンポーネント信号を入力する端子であり、端子として複数のピンを有するコネクタからなる。映像入力端子１１ａはＲＧＢ信号のＲ信号とコンポーネント信号のＲ−Ｙ信号とに兼用され、映像入力端子１１ｂはＲＧＢ信号のＧ信号とコンポーネント信号のＹ信号とに兼用され、映像入力端子１１ｃはＲＧＢ信号のＢ信号とコンポーネント信号のＢ−Ｙ信号とに兼用される。ＲＧＢ信号の場合には三原色の信号の他に垂直同期信号Ｖと水平同期信号Ｈとが更に加わるので、それらの同期信号のために映像入力端子１１ｄ及び１１ｅが用いられる。コンポーネント信号の場合にはＹ信号に同期信号成分は含まれている。また、ＲＧＢ信号のＧ信号に同期信号が含まれている場合がある。
【００１３】
同期検出部１２は入力映像信号から同期信号を検出する。同期検出部１２は入力映像信号がＲＧＢ信号である場合に映像入力端子１１ｄ及び１１ｅに供給される垂直同期信号と水平同期信号とを検出し、入力映像信号がコンポーネント信号である場合と、上記したようにＧ信号中に同期信号を含む一部のＲＧＢ信号の場合には、映像入力端子１１ｂに供給される信号中から垂直同期信号と水平同期信号とを抽出する。
【００１４】
入力信号検出部１３は映像入力端子１１ａ〜１１ｃに映像信号が供給されたことを検出する。その検出は例えば、映像入力端子１１ａ〜１１ｃの信号レベルに応じて行われる。また、その検出には現在、供給されている映像信号が他の映像信号に切り替わった場合が含まれる。入力信号検出部１３の検出結果は制御回路２０に供給される。
【００１５】
クランプ回路１４は入力映像信号のペデスタルレベルを所定の電位にクランプして直流再生を行う。所定の電位は入力映像信号がＲＧＢ信号の場合とコンポーネント信号の場合とでは異なり、制御回路２０によって制御される。
【００１６】
Ａ／Ｄ変換回路１５はクランプ回路１４の出力信号をディジタル化する。信号処理部１６はディジタル化された映像信号のガンマ補正や解像度補正を含む映像信号処理を行ってＲＧＢのディジタル映像信号を生成する。また、信号処理部１６は制御回路２０による制御によってＲＧＢ信号の場合とコンポーネント信号の場合とで異なる信号処理方式にて映像信号の信号処理を行う。コンポーネント信号の場合にはＲＧＢ信号への変換を行う。更に、信号処理部１６には信号合成部１７が接続されている。信号合成部１７は信号処理部１６の出力映像信号にキャラクタ生成部１８から出力される文字データを重畳する。
【００１７】
表示部１９は、液晶表示パネル、ＣＲＴ、及びプラズマパネル等の表示器を有し、信号処理部１６から出力されるＲＧＢ映像信号に応じた映像を表示器に表示する。
【００１８】
制御回路２０は、例えば、マイクロコンピュータからなり、同期検出部１２、入力信号検出部１３、クランプ回路１４、信号処理部１６、信号合成部１７、キャラクタ生成部１８及び操作部２１に接続されている。制御回路２０は、クランプ回路１４のクランプレベル及び信号処理部１６の信号処理を制御し、信号合成部１７による信号合成を指令し、キャラクタ生成部１８の生成文字データを指定する。操作部２１はユーザが入力操作するためのキーボードからなり、後述の「ＮＥＸＴ」キー及び「決定」キーを含む。操作部２１はリモコン方式のものでも良い。
【００１９】
かかる構成の映像表示装置においては、映像入力端子１１ａ〜１１ｅにＲＧＢ信号とコンポーネント信号とのいずれか一方の映像信号が供給されると、その映像信号は入力信号検出部１３によって検出される。入力信号検出部１３は映像信号が入力されたことを示す検出信号を制御回路２０に供給する。制御回路２０は、図５に示すように、入力信号検出部１３からの検出信号に応答して同期検出部１２がＲＧＢ信号の同期信号を映像入力端子１１ｄ及び１１ｅの信号から抽出したか否かを判別する（ステップＳ１）。同期検出部１２はＲＧＢ信号の同期信号を映像入力端子１１ｄ及び１１ｅの信号から抽出した場合にはその抽出を示す信号を制御回路２０に供給する。
【００２０】
映像信号の入力が検出された後、同期検出部１２によってＲＧＢ信号の同期信号が所定時間内に抽出された場合には、入力映像信号はＲＧＢ信号であると判断される。この場合には、制御回路２０はクランプ回路１４及び信号処理部１６に対してＲＧＢ信号に対応した処理（ＲＧＢ処理）をするように指令する（ステップＳ２）。すなわち、クランプ回路１４の上記の所定の電位をＲＧＢ信号用の電位に設定させ、信号処理部１６の映像信号処理をＲＧＢ信号用に設定させる。この結果、表示部１９の表示器には、入力映像信号に対してＲＧＢ処理された映像が表示される。
【００２１】
制御回路２０は、同期検出部１２によってＲＧＢ信号の同期信号が所定時間内に抽出されなかった場合には、キャラクタ生成部１８にＲＧＢ処理画面の文字データの生成を指令し（ステップＳ３）、クランプ回路１４及び信号処理部１６に対してＲＧＢ信号に対応したＲＧＢ処理をするように指令する（ステップＳ４）。キャラクタ生成部１８はステップＳ３の指令に応答してＲＧＢ処理画面の文字データを生成して信号合成部１７に供給する。また、ステップＳ４の指令に応じてクランプ回路１４は上記の所定の電位をＲＧＢ信号用の電位に設定してクランプ動作し、信号処理部１６は映像信号処理をＲＧＢ信号用にて行い、信号合成部１７は信号処理部１６で信号処理されたＲＧＢ信号にＲＧＢ処理画面の文字データを合成し、合成したＲＧＢ信号を表示部１９に出力する。表示部１９の表示器には、入力映像信号に対してＲＧＢ処理された映像が図６(a)に示すように表示される。ＲＧＢ処理された映像画面には、上記の文字データの合成によって「ＲＧＢ処理画面」の文字表示と共に「「ＮＥＸＴ」キーで次処理画面に、「決定」キーで決定」という文字表示がされる。よって、ユーザは、表示器に表示された映像が正常ならば、操作部２１の「決定」キーを操作し、その映像が異常であるならば、操作部２１の「ＮＥＸＴ」キーを操作することになる。なお、表示画面には「ＲＧＢ信号であるかコンポーネント信号であるか選択してください」のような明確な文字表示を行っても良い。
【００２２】
制御回路２０はステップＳ４の実行後、「ＮＥＸＴ」キー及び「決定」キーのいずれが操作されたかを判別する（ステップＳ５）。「ＮＥＸＴ」キーが操作された場合には、キャラクタ生成部１８にコンポーネント処理画面の文字データの生成を指令し（ステップＳ６）、クランプ回路１４及び信号処理部１６に対してコンポーネント信号に対応した処理（コンポーネント処理）をするように指令する（ステップＳ７）。キャラクタ生成部１８はステップＳ６の指令に応答してコンポーネント処理画面の文字データを生成して信号合成部１７に供給する。また、ステップＳ７の指令に応じてクランプ回路１４は上記の所定の電位をコンポーネント信号用の電位に設定してクランプ動作し、信号処理部１６はコンポーネント信号用映像信号処理を行う。コンポーネント信号用映像信号処理ではＲＧＢ信号への変換動作が実行され、信号合成部１７はその変換後のＲＧＢ信号にコンポーネント処理画面の文字データを合成し、合成したＲＧＢ信号を表示部１９に出力する。表示部１９の表示器には、入力映像信号に対してコンポーネント処理された映像が図６(b)に示すように表示される。コンポーネント処理された映像画面には、上記の文字データの合成によって「コンポーネント処理画面」の文字表示と共に「「ＮＥＸＴ」キーで次処理画面に、「決定」キーで決定」という文字表示がされる。
【００２３】
制御回路２０はステップＳ７の実行後、「ＮＥＸＴ」キー及び「決定」キーのいずれが操作されたかを判別する（ステップＳ８）。「ＮＥＸＴ」キーが操作された場合には、上記のステップＳ３を再度実行する。この結果、表示部１９の表示器には、入力映像信号に対してＲＧＢ処理された映像が図６(a)に示すように再度表示される。
【００２４】
制御回路２０はステップＳ５又はＳ８において、「決定」キーが操作されたと判別した場合には、キャラクタ生成部１８の文字データ出力を停止させる（ステップＳ９）。これにより、信号合成部１７による文字データの合成が停止され、現在の信号処理が維持される。
【００２５】
このように、かかる映像表示装置においては、入力映像信号がＲＧＢ信号であることを自動判定することができない場合には、入力映像信号をＲＧＢ処理した場合の映像とコンポーネント処理した場合の映像とを操作部２１の「ＮＥＸＴ」キーを操作する毎に交互に表示部１９の表示器に表示することが行われる。その映像表示では、ＲＧＢ処理した場合にはＲＧＢ処理画面であることが文字によって表示され、コンポーネント処理した場合にはコンポーネント処理画面であることが文字によって表示される。よって、ユーザはどちらの映像が正常であるかを容易に視認することができるので、適切な信号処理方式を選択することができる。
【００２６】
なお、上記した実施例においては、入力映像信号がＲＧＢ信号であることを同期信号の存在に基づいて自動判定しているが、この自動判別することなく、図６(a)のＲＧＢ処理画面と図６(b)のコンポーネント処理画面とを「ＮＥＸＴ」キーを操作する毎に交互に表示するようにしても良い。
【００２７】
図７は本発明の他の実施例として映像表示装置を示している。この映像表示装置は、図４に示したクランプ回路１４、Ａ／Ｄ変換回路１５及び信号処理部１６をＲＧＢ処理系とコンポーネント処理系の２系統分備えている。ＲＧＢ処理系はクランプ回路１４ａ、Ａ／Ｄ変換回路１５ａ及び信号処理部１６ａである。クランプ回路１４ａは入力映像信号のペデスタルレベルをＲＧＢ処理用の電位にクランプして直流再生を行う。Ａ／Ｄ変換回路１５ａはクランプ回路１４ａの出力信号をディジタル化する。信号処理部１６ａはディジタル化された映像信号のガンマ補正や解像度補正を含むＲＧＢ用の映像信号処理を行ってＲＧＢのディジタル映像信号を生成する。
【００２８】
コンポーネント処理系はクランプ回路１４ｂ、Ａ／Ｄ変換回路１５ｂ及び信号処理部１６ｂである。クランプ回路１４ｂは入力映像信号のペデスタルレベルをコンポーネント処理用の電位にクランプして直流再生を行う。Ａ／Ｄ変換回路１５ｂはクランプ回路１４ｂの出力信号をディジタル化する。信号処理部１６ｂはディジタル化された映像信号のガンマ補正や解像度補正を含むコンポーネント用の映像信号処理を行ってＲＧＢのディジタル映像信号を生成する。
【００２９】
信号処理部１６ａ及び１６ｂの出力には信号合成部１７が接続されている。信号合成部１７は制御回路２０の指令に応じて信号処理部１６ａ及び１６ｂの出力信号を合成するか、いずれか一方の出力信号のみを表示部１９に出力する。また、信号合成部１７は制御回路２０の指令に応じて映像信号にキャラクタ生成部１８から出力される文字データを重畳する。
【００３０】
図７の映像表示装置のその他の構成は図４の装置と同様である。
【００３１】
この図７の映像表示装置においては、映像入力端子１１ａ〜１１ｅにＲＧＢ信号とコンポーネント信号とのいずれか一方の映像信号が供給されると、その映像信号は入力信号検出部１３によって検出される。入力信号検出部１３は映像信号が入力されたことを示す検出信号を制御回路２０に供給する。制御回路２０は、図８に示すように、入力信号検出部１３からの検出信号に応答して同期検出部１２がＲＧＢ信号の同期信号を抽出したか否かを判別する（ステップＳ１１）。同期検出部１２はＲＧＢ信号の同期信号を映像入力端子１１ｄ及び１１ｅの信号から抽出した場合にはその抽出を示す信号を制御回路２０に供給する。
【００３２】
映像信号の入力が検出された後、同期検出部１２によってＲＧＢ信号の同期信号が所定時間内に抽出された場合には、入力映像信号はＲＧＢ信号であると判断される。この場合には、制御回路２０は信号合成部１７に対してＲＧＢ処理系を選択するように指令する（ステップＳ１２）。すなわち、信号処理部１６ａの出力信号がそのまま信号合成部１７を介して表示部１９に供給される。この結果、表示部１９の表示器には、入力映像信号に対してＲＧＢ処理された映像が表示される。
【００３３】
制御回路２０は、同期検出部１２によってＲＧＢ信号の同期信号が所定時間内に抽出されなかった場合には、キャラクタ生成部１８に文字データの生成を指令し（ステップＳ１３）、信号合成部１７に対してＲＧＢ処理選択用の２画面同時表示をするように指令する（ステップＳ１４）。信号合成部１７はＲＧＢ処理選択用の２画面同時表示指令に応答して信号処理部１６ａの出力信号と信号処理部１６ｂの出力信号とキャラクタ生成部１８からの文字データとを合成して表示部１９に出力する。表示部１９の表示器には、入力映像信号に対してＲＧＢ処理された映像とコンポーネント処理された映像との合成映像が図９に示すように表示される。ＲＧＢ処理された映像画面は、太枠で囲まれて示され、その画面内にキャラクタ生成部１８からの文字データの合成によって「ＲＧＢ処理画面」の文字表示がされる。太枠はカーソルとなっている。コンポーネント処理された映像画面にはキャラクタ生成部１８からの文字データの合成によって「コンポーネント処理画面」の文字表示がされる共に「「ＮＥＸＴ」キーで画面を選択、「決定」キーで決定」という文字表示がされる。よって、ユーザは、表示器に表示されたＲＧＢ処理された映像が正常ならば、操作部２１の「決定」キーを操作し、その映像が異常であるならば、操作部２１の「ＮＥＸＴ」キーを操作することになる。
【００３４】
制御回路２０はステップＳ１４の実行後、「ＮＥＸＴ」キー及び「決定」キーのいずれが操作されたかを判別する（ステップＳ１５）。「ＮＥＸＴ」キーが操作れた場合には、信号合成部１７に対してコンポーネント処理選択用の２画面同時表示をするように指令する（ステップＳ１６）。信号合成部１７はコンポーネント処理選択用の２画面同時表示指令に応答して信号処理部１６ａの出力信号と信号処理部１６ｂの出力信号とキャラクタ生成部１８からの文字データとを合成して表示部１９に出力する。表示部１９の表示器には、入力映像信号に対してＲＧＢ処理された映像とコンポーネント処理された映像との合成映像が表示される。図示しないが、ＲＧＢ処理された映像画面にはキャラクタ生成部１８からの文字データの合成によって「ＲＧＢ処理画面」の文字表示がされる。コンポーネント処理された映像画面は、太枠で囲まれて示され、その画面内にキャラクタ生成部１８からの文字データの合成によって「コンポーネント処理画面」の文字表示がされると共に「「ＮＥＸＴ」キーで画面を選択、「決定」キーで決定」という文字表示がされる。結果として、図９に示したＲＧＢ処理された映像画面に位置していた太枠のカーソルがステップＳ１６の指令によってコンポーネント処理された映像画面に移動する。
【００３５】
制御回路２０はステップＳ１６の実行後、「ＮＥＸＴ」キー及び「決定」キーのいずれが操作されたかを判別する（ステップＳ１７）。「ＮＥＸＴ」キーが再度操作れた場合には、ステップＳ１４に戻って、信号合成部１７に対してＲＧＢ処理選択用の２画面同時表示をするように指令する。
【００３６】
制御回路２０は、ステップＳ１５において、「決定」キーが操作されたと判別した場合には、キャラクタ生成部１８に文字データの生成停止を指令し（ステップＳ１８）、信号合成部１７に対してＲＧＢ画面の選択指令を発し（ステップＳ１９）、ステップＳ１７において、「決定」キーが操作されたと判別した場合には、キャラクタ生成部１８に文字データの生成停止を指令し（ステップＳ２０）、信号合成部１７に対してコンポーネント画面の選択指令を発する（ステップＳ２１）。信号合成部１７はＲＧＢ画面の選択指令に応答して信号処理部１６ａの出力信号のみを表示部１９に出力する。信号合成部１７はコンポーネント画面の選択指令に応答して信号処理部１６ｂの出力信号のみを表示部１９に出力する。
【００３７】
このように、かかる映像表示装置においては、入力映像信号がＲＧＢ信号であることを自動判定することができない場合には、入力映像信号をＲＧＢ処理映像とコンポーネント処理映像とが１画面に同時に表示され、ユーザが操作部２１の「ＮＥＸＴ」キーを操作する毎に太枠のカーソル位置をＲＧＢ処理映像とコンポーネント処理映像との間で移動させることができる。よって、ユーザはどちらの映像が正常であるかを容易に視認することができるので、適切な信号処理方式を選択することができる。
【００３８】
なお、かかる実施例においては、ＲＧＢ処理映像及びコンポーネント処理映像共にほぼその時点の入力映像信号に応じた動画映像となるが、静止画映像であっても良い。
【００３９】
上記した各実施例においては、入力映像信号の自動判別ができない場合にＲＧＢ処理映像及びコンポーネント処理映像を同時に又は一方ずつユーザ選択のために表示することが行われるが、自動判別方法としては、ＲＧＢ信号の同期信号を検出することに限らず、特許文献１に示されたように、入力映像信号のレベルをペデスタルレベルと比較して、ＲＧＢ信号であるかコンポーネント信号であるかを自動判別する方法を用いても良い。
【００４０】
コンポーネント信号が図１０に示すように３値同期信号を有する信号である場合には、図１１に示すように、ペデスタルレベルを越えて変化する時点を３値同期信号として検出する３値同期検出回路２２による検出結果に応じて制御回路２０が自動判別しても良い。
【００４１】
また、上記した各自動判別方法を組み合わせて、そのいずれによっても自動判別することができなかった場合にはＲＧＢ処理映像及びコンポーネント処理映像を同時に又は一方ずつユーザ選択のために表示するようにしても良い。
【００４２】
上記した各実施例においては、同一の入力端子に供給される映像信号の種類としてＲＧＢ信号とコンポーネント信号との場合について説明したが、映像信号の種類はこれに限定されず、更にコンポジット映像信号等の他の種類の映像信号を入力するようにしても良い。コンポジット映像信号を入力する場合には、コンポジット映像信号をＲＧＢ信号又はコンポーネント信号に変換するデコード回路が備えられ、そのデコード回路の出力信号がクランプ回路に入力されることになる。
【００４３】
更に、上記した各実施例においては、表示部１９の表示器画面にＲＧＢ処理映像又はコンポーネント処理映像に文字情報を重畳することにより、ユーザに映像処理方法の選択を告知しているが、装置に設けられたＬＥＤ等の発光部を点灯又点滅させたり、ブザー等の音発生器から発せられる警報音によって注意を促しても良い。
【００４４】
以上の如く、本発明によれば、入力端子に入力される映像信号の種類を自動判別できなくてもその映像信号に対して適切な信号処理方式を選択することができる。
【図面の簡単な説明】
【００４５】
【図１】ＲＧＢ信号の信号波形を示す図である。
【図２】コンポーネント信号の信号波形を示す図である。
【図３】ノイズが混入したＲＧＢ信号の信号波形を示す図である。
【図４】本発明の実施例を示すブロック図である。
【図５】図４の装置中の制御回路の動作を示すフローチャートである。
【図６】表示器の映像画面を示す図である。
【図７】本発明の他の実施例を示すブロック図である。
【図８】図７の装置中の制御回路の動作を示すフローチャートである。
【図９】表示器の映像画面を示す図である。
【図１０】３値同期信号を有するコンポーネント信号の信号波形を示す図である。
【図１１】本発明の他の実施例を示すブロック図である。
【符号の説明】
【００４６】
１１ａ〜１１ｅ  映像入力端子
１２  同期検出部
１３  入力信号検出部
１４，１４ａ，１４ｂ  クランプ回路
１６，１６ａ，１６ｂ  信号処理部
１８  キャラクタ生成部
２０  制御回路
【図１】
2007248970.tif 000003
【図２】
2007248970.tif 000004
【図３】
2007248970.tif 000005
【図４】
2007248970.tif 000006
【図５】
2007248970.tif 000007
【図６】
2007248970.tif 000008
【図７】
2007248970.tif 000009
【図８】
2007248970.tif 000010
【図９】
2007248970.tif 000011
【図１０】
2007248970.tif 000012
【図１１】
2007248970.tif 000013